(57)【特許請求の範囲】
【請求項１】
アースパターンを備えたプリント基板を有するポータブルターミナル本体部と
ペーパーホルダを有するプリンタ部とロール紙と
から成るポータブルターミナルの
前記ロール紙に帯電する静電気を放電させるプリンタ部除電構造において、
前記ペーパーホルダは導電性プラスチック材料で形成されており、
前記ロール紙は前記ペーパーホルダの内部に格納されており、
前記ペーパーホルダと前記アースパターンとは金属片で接続されており、
前記アースパターンは操作者が触れる前記ポータブル本体部の表面に配設された導電体に接続されている
ことを特徴とするポータブルターミナルのプリンタ部除電構造。
【請求項２】
アースパターンを備えたプリント基板を有するポータブルターミナル本体部と
ペーパーホルダを有するプリンタ部とロール紙と
から成るポータブルターミナルの
前記ロール紙に帯電する静電気を放電させるプリンタ部除電構造において、
前記ペーパーホルダは表面に導電性塗料が塗布されており、
前記ロール紙は前記ペーパーホルダの内部に格納されており、
前記ペーパーホルダと前記アースパターンとは金属片で接続されており、
前記アースパターンは操作者が触れる前記ポータブル本体部の表面に配設された導電体に接続されている
ことを特徴とするポータブルターミナルのプリンタ部除電構造。
【請求項３】
前記ペーパーホルダは、その内壁に前記ロール紙の回転方向に沿って複数本の直線状突起を形成することを特徴とする請求項１記載のポータブルターミナルのプリンタ部除電構造。
【請求項４】
前記ペーパーホルダは、その内壁面に前記ロール紙の回転方向に沿って複数本の直線状突起を形成しその上面に前記導電性塗料を塗布することを特徴とする請求項２記載のポータブルのプリンタ部除電構造。
【請求項５】
前記ペーパーホルダは、前記紙送り機構により印字後に送り戻されてくる前記ロール紙が接触する外壁面に前記ロール紙の進行方向に沿って複数本の直線状突起を形成することを特徴とする請求項３記載のポータブルターミナルのプリンタ部除電構造。
【請求項６】
前記ペーパーホルダは前記紙送り機構により印字後に送り戻されてくる前記ロール紙が接触する外壁面に前記ロール紙の進行方向に沿って複数本の直線状突起を形成しその上面に導電性塗料を塗布することを特徴とする請求項４記載のポータブルターミナルのプリンタ部除電構造。
【請求項７】
請求項１または請求項２に記載のプリンタ部除電構造を備えたポータブルターミナル。
【発明の詳細な説明】
【０００１】
【発明の属する技術分野】
本発明はポータブルターミナルに関し、特にプリンタ部を備えたポータブルターミナルのプリンタ部のロール紙に帯電する静電気を放電するための除電構造に関する。
【０００２】
【従来の技術】
ポータブルターミナルのプリンタ部に限らず一般にプリンタにおいては、印字用紙が印字ヘッドと摩擦することにより静電気が発生し印字用紙が帯電する。特に印字用紙がロール紙である場合は、ロール紙が格納されるペーパーホルダの内壁面との摩擦、あるいは紙送り機構の搬送過程によるローラなどの摩擦によりロール紙に静電気が帯電する。
【０００３】
この帯電した静電気を直ちに放電しないと、プリント基板の電子回路に妨害を与えプリンタを誤動作させる原因となる。
【０００４】
この為印字用紙の帯電を防ぐために例えば実開平２−８０６５３号公報に記載されている技術がある。図４はこの従来例を示す要部の説明図である。本従来例はロール紙を用いたファクリミリに関するもので、図４はこのファクシミリのロール紙を格納するロール紙格納部を示すものである。図において、このロール紙格納部の底部に導電板４２を直接固定し、ロール紙４１の紙面側をこの自重で導電板４２の上面に当接させると共に導電板４２にアース線４３を接続させ、導電板４２のアース短絡によりロール紙４１の帯電を防ぐようにしている。
【０００５】
この従来技術以外にも特開２０００−１１８７７０号公報に記載されているように、印字ヘッドの近傍に印字用紙を摺動する除電ブラシを設け、この除電ブラシを接地するなどの技術がある。
【０００６】
【発明が解決しようとする課題】
このように従来技術の前者においては、導電板を新たに設ける必要があり、特にポータブルターミナルにおいては、小型軽量が重要事項であるので不利となり更にコストも高くなるという問題がある。また後者においては除電ブラシを新たに設ける必要があり、前者と同様な問題があると同時に除電ブラシは磨耗するので磨耗時は新品と交換する必要があるという問題がある。
【０００７】
【課題を解決するための手段】
本発明のポータブルターミナルのプリンタ部除伝構造は、電子部品を搭載するプリント基板と操作部と表示部などを有するポータブルターミナル本体部とその上部に設けられ印字用のロール紙を内部に格納するペーパーホルダと紙送り機構と印字ヘッドなどを有するプリンタ部とを一体化して成るポータブルターミナルの前記ロール紙に帯電する電荷を放出するためのプリンタ部除電構造において、前記ペーパーホルダは素材に導電性プラスチック材料を用い、このペーパーホルダの端部前記プリント基板のアースパターンとを金属片で接続している。
【０００８】
また前記ペーパーホルダは、その内壁に前記ロール紙の回転方向に沿って複数本の直線状突起を形成するようにしても良い。
【０００９】
また前記ペーパーホルダは、前記紙送り機構により印字後に送り戻されてくる前記ロール紙が接触する外壁面に前記ロール紙の進行方向に沿って複数本の直線状突起を形成するようにしても良い。あるいは、電子部品を搭載するプリント基板と操作部と表示部などを有するポータブルターミナル本体部とその上部に設けられ印字用のロール紙を内側に格納するペーパーホルダと紙送り機構と印字ヘッドなどを有するプリンタ部とを一体化して成るポータブルプリンタの前記ロール紙に帯電する電荷を放出するためのプリンタ部除電構造において、前記ペーパーホルダは、素材にプラスチック材料を用いその内壁面に導電性塗料を塗布し、このペーパーホルダの内壁と前記プリント基板のアースパターンとを金で接続するようにする。
【００１０】
また、前記ペーパーホルダはその内壁に前記ロール紙の回転に沿って複数本の直線状突起を形成し前記導電性塗料を塗布するようにしても良い。
【００１１】
また前記ペーパーホルダは、前記紙送機構により印字後に送り戻されて来る前記ロール紙が接触する外壁面に前記ロール紙の進行方向に沿って複数本の直線状突起を形成しその上面に導電性塗料を塗布するようにしても良い。
【００１２】
【発明の実施の形態】
次に本発明の実施の形態について図面を参照して説明する。図１は実施の形態例を示す外観斜視図、図２は図１においてプリンタ部内部を説明するための部分分解斜視図、図３は図１におけるＡ−Ａ線の断面図である。
【００１３】
図１および図２において、本ポータブルターミナルは、本体とプリンタ部とから構成され、本体は電子部品を搭載するプリント基板４とキーボードより成る操作部６とＬＣＤを用いた表示部５などから構成され、ターミナル部は印字用のロール紙を内部に格納するペーパーホルダ１とロール紙を搬送するための紙送り機構２と印字ヘッド３などから構成されており、筐体９により両者は一体化されている。
【００１４】
更に、ペーパーホルダ１は上ケース１１と下ケース１２とに分れ、下ケース１２は筐体９に固定され、上ケース１１は下ケース１２にヒンジ機構により開閉自在に取付けられている。そして下ケース１２と上ケース１１の内壁面には、それぞれ３本の直線状突起１３、１４が形成されている。更に、上ケース１１の外壁面にも同様に３本の直線状突起１５が成形されている。この上ケース１１、下ケース１２は素材に導電性プラスチック材料が用いられ各直線状突起は一体形成されている。
【００１５】
そして、ペーパーホルダ１の下ケース１２とプリント基板４のアースパターン（図示せず）とは金属片７により電気的に接続されている。
【００１６】
尚、紙送り機構２は２つのローラ２１、駆動源であるモータ２２などから構成されている。
【００１７】
次に図３を参照して本ポータブルターミナルの除電動作について説明する。ロール紙８はペーパーホルダ１の上ケース１１を開けて下ケース１２に搭載され上ケース１１を閉じることによりセットされる。この時ロール紙の先端は紙送り機構２により自動的に印字位置まで搬送され停止する。そして本体からの印字信号により印字ヘッド３が動作しロール紙８に印字して行き、同期して本体から送られてくる制御信号により紙送り機構２が動作して逐次印字位置にロール紙８を送り続け、印字されたロール紙８は図示のようにペーパーホルダ１の上ケース１１の表面を摺動しながら排出される。
【００１８】
この時、ロール紙８は印字ヘッド３との摩擦、あるいは、ペーパーホルダ１の下ケース１２、上ケース１１などの各当接面を搬送動作に伴って摺動して行くことにより静電気を帯電する。しかしながらペーパーホルダ１の上ケース１１、下ケース１２の素材は導電性プラスチックであるので、静電気はペーパーホルダ１から金属片７を通りプリント基板４のアースパターンの地気に放電される。従ってロール紙８はこの除電構造により帯電することがなく、プリント基板４に搭載された電子回路に防害を与えることはない。
【００１９】
尚、プリント基板４のアースパターンは操作者が手に触れる筐体９の表面にある導体部分に接続されているので（図示せず）、人体を介して大地に接続される。即ちロール紙８に帯電した静電気はこの接続回路により最終時に大地に放電されることになる、但し電源を電池でなく商用電源を用いる場合はこの電源側のアースへ最終的に接続され放電される。
【００２０】
また、ペーパーホルダ１の素材は、導電性プラスチックを用いる例で説明したが、一般的なプラスチック材料を用いて、直線状突起１３、１４、１５を形成する各表面に導電性塗料を塗布するようにしても良い。このようにすることにより耐久性の問題はあるがコストを低下させる効果がある。
【００２１】
【発明の効果】
以上説明したように本発明のポータブルターミナルのプリンタ部除電構造は、ペーパーホルダの素材に導電性プラスチックを用いるか、あるいは一般的はプラスチックに導電性塗料を塗布したものを用い、このペーパーホルダとプリント基板のアースパターンとを金属片で接続して除電する簡単な構造であるので、ポータブルターミナルを小形軽量にできると同時にコストを低減できるという効果がある。
【図面の簡単な説明】
【図１】本発明は実施の形態例を示す外観斜視図。
【図２】図１においてプリンタ部の内部構造を示すため部分分解斜視図。
【図３】図１に示すＡ−Ａ線の断面図。
【図４】従来例の要部を示す説明図。
【符号の説明】
１    ペーパーホルダ
１１    上ケース
１２    下ケース
１３、１４、１５    直線状突起
２    紙送り機構
２１    ローラ
２２    モータ
３    印字ヘッド
４    プリント基板
５    表示部
６    操作部
７    金属片
８    ロール紙
９    筐体
【図１】
0003746976.tif 000002
【図２】
0003746976.tif 000003
【図３】
0003746976.tif 000004
【図４】
0003746976.tif 000005